【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
複数のユーザの端末と、ソーシャルネットワーキングサービス提供サーバとが電気通信回線網を介して接続可能なソーシャルネットワーキングサービスシステムにおけるソーシャルネットワーキングサービス提供サーバであって、
前記ソーシャルネットワーキングサービス提供サーバは外部の電子商取引管理サーバ、および＼又は決済情報管理サーバと接続可能であり、
プレゼントを企画する企画者の端末からの要求に基づき、プレゼント企画情報を取得するプレゼント企画情報取得手段と、
前記プレゼント企画情報を受信したユーザのうち該プレゼント企画に参加するユーザの端末からの要求に応じて参加者の情報を取得する参加者情報取得手段と、
前記取得したプレゼント企画情報及び参加者情報に基づき決済処理を行う決済処理手段と
を備え、
前記プレゼント企画情報には、プレゼントを受け取る受取人情報、前記プレゼント企画メッセージを送信する端末のユーザに関する情報である参加候補者情報、プレゼントに関する情報である贈答品情報、及び決済の方式に関する情報である決済方式情報が含まれる
ことを特徴とする、ソーシャルネットワーキングサービス提供サーバ。
【請求項２】
前記参加候補者情報が、前記ソーシャルネットワーキングサービス上において前記企画者と所定の関係性を有するユーザに関する情報から生成されることを特徴とする、請求項１に記載のソーシャルネットワーキングサービス提供サーバ。
【請求項３】
前記参加候補者情報が、前記ソーシャルネットワーキングサービス上において前記受取人と所定の関係性を有するユーザに関する情報から生成されることを特徴とする、請求項１又は請求項２のいずれかに記載のソーシャルネットワーキングサービス提供サーバ。
【請求項４】
前記プレゼント企画情報が、前記参加候補者のプロファイル条件を満たすユーザに対してフィード配信されることを特徴とする、請求項１から請求項３のいずれかに記載のソーシャルネットワーキングサービス提供サーバ。
【請求項５】
前記プレゼント企画情報が、企画者の端末からの要求に基づいて選択されるユーザに対してメッセージ送信されることを特徴とする、請求項１から請求項３のいずれかに記載のソーシャルネットワーキングサービス提供サーバ。
【請求項６】
前記参加者情報取得手段が参加者情報を取得したことを条件に、参加者と受取人との双方と所定の関係性を有する会員に対し更に前記プレゼント企画情報をフィード配信する追加フィード配信手段を有することを特徴とする、請求項１から請求項５のいずれかに記載のソーシャルネットワーキングサービス提供サーバ。
【請求項７】
前記贈答品情報が、前記企画者の端末からの要求に基づき取得する前記プレゼント企画情報においては贈答品が未特定であり、
前記参加者情報取得手段により得られた参加者情報のフィードを企画者のユーザＩＤに配信する参加者情報フィード配信手段と、
前記参加者情報を受信した企画者の端末からの要求に応じて、前記贈答品情報に規定される贈答品を特定する贈答品特定手段とを更に有することを特徴とする、請求項１から請求項６のいずれかに記載のソーシャルネットワーキングサービス提供サーバ。
【請求項８】
前記贈答品情報が、前記企画者の端末からの要求に基づき取得する前記プレゼント企画情報においては贈答品が未特定であり、
前記参加者情報取得手段により得られた参加者情報のフィードを企画者のユーザＩＤに配信する参加者情報フィード配信手段と、
前記参加者情報を受信した企画者の端末からの要求に応じて、企画者により前記外部の電子商取引管理サーバにおいて選択された複数の贈答品候補情報を取得する贈答品候補取得手段と、
前記贈答品候補情報のフィードを参加者のユーザＩＤに配信する贈答品候補情報フィード配信手段と、
前記贈答品候補情報フィードを受信した参加者の端末からの要求に応じて前記複数の贈答品候補のうちから一の贈答品候補を選択した情報を取得する贈答品候補選択情報取得手段と、
を更に有することを特徴とする、請求項１から請求項６のいずれかに記載のソーシャルネットワーキングサービス提供サーバ。
【請求項９】
前記参加者情報に支払いを許容する金額上限を特定する支払金額特定情報が含まれ、
前記決済情報に規定される決済の方式が、前記複数の参加者の前記支払金額特定情報の合計額に応じた按分であることを特徴とする、請求項１から請求項８のいずれかに記載のソーシャルネットワーキングサービス提供サーバ。
【請求項１０】
複数のユーザの端末と、ソーシャルネットワーキングサービス提供サーバとが電気通信回線網を介して接続可能なソーシャルネットワーキングサービスシステムにおけるプレゼント贈答方法であって、
企画者の端末からプレゼント企画情報を送信するステップと、
前記プレゼント企画情報をサーバが受信し記録するステップと、
サーバが前記プレゼント企画情報を所定のユーザに通知するステップと、
前記プレゼント企画情報を受信したユーザのうち該プレゼント企画に参加するユーザの端末が、参加者情報を送信するステップと、
サーバが、前記参加者情報を受信し記録するステップと、
サーバが、前記記録したプレゼント企画情報及び参加者情報に基づき決済処理を行うステップと、
を有し、
前記プレゼント企画情報には、プレゼントを受け取る受取人情報、前記プレゼント企画メッセージを送信する端末のユーザに関する情報である参加候補者情報、プレゼントに関する情報である贈答品情報、及び決済の方式に関する情報である決済方式情報が含まれる
することを特徴とするプレゼント贈答方法。
【請求項１１】
前記参加候補者情報が、前記ソーシャルネットワーキングサービス上において前記企画者と所定の関係性を有するユーザに関する情報から生成されることを特徴とする、請求項１０に記載のプレゼント贈答方法。
【請求項１２】
前記参加候補者が、前記ソーシャルネットワーキングサービス上において前記受取人と所定の関係性を有するユーザに関する情報から生成されることを特徴とする、請求項１０又は請求項１１のいずれかに記載のプレゼント贈答方法。
【請求項１３】
前記プレゼント企画情報が、前記参加候補者のプロファイル条件を満たすユーザに対してフィード配信されることを特徴とする、請求項１０から請求項１２のいずれかに記載のプレゼント贈答方法。
【請求項１４】
前記プレゼント企画情報が、企画者の端末からの要求に基づいて選択されるユーザに対してメッセージ送信されることを特徴とする、請求項１０から請求項１２のいずれかに記載のプレゼント贈答方法。
【請求項１５】
サーバが参加者情報を取得した際、参加者と受取人との双方と所定の関係性を有する会員に対し更に前記プレゼント企画情報をフィード配信するステップを更に有することを特徴とする、請求項１０から請求項１４のいずれかに記載のプレゼント贈答方法。
【請求項１６】
複数のユーザの端末と、ソーシャルネットワーキングサービス提供サーバとが電気通信回線網を介して接続可能なソーシャルネットワーキングサービスシステムにおけるプレゼント贈答方法であって、
企画者の端末から、プレゼントを受け取る受取人情報、前記プレゼント企画メッセージを送信する端末のユーザに関する情報である参加候補者情報、及び決済の方式に関する情報である決済方式情報が含まれるプレゼント企画情報を送信するステップと、
前記プレゼント企画情報をサーバが受信し記録するステップと、
サーバが前記プレゼント企画情報を所定のユーザに通知するステップと、
前記プレゼント企画情報を受信したユーザのうち該プレゼント企画に参加するユーザの端末が、参加者情報を送信するステップと、
サーバが、前記参加者情報を受信し記録するステップと、
前記参加者情報のフィードを企画者のユーザＩＤに配信するステップと、
前記参加者情報を受信した企画者の端末が贈答品を特定するステップと、
サーバが、前記記録したプレゼント企画情報及び参加者情報に基づき決済処理を行うステップと、
を有することを特徴とするプレゼント贈答方法。
【請求項１７】
複数のユーザの端末と、ソーシャルネットワーキングサービス提供サーバとが電気通信回線網を介して接続可能なソーシャルネットワーキングサービスシステムにおけるプレゼント贈答方法であって、
企画者の端末から、プレゼントを受け取る受取人情報、前記プレゼント企画メッセージを送信する端末のユーザに関する情報である参加候補者情報、及び決済の方式に関する情報である決済方式情報が含まれるプレゼント企画情報を送信するステップと、
前記プレゼント企画情報をサーバが受信し記録するステップと、
サーバが前記プレゼント企画情報を所定のユーザに通知するステップと、
前記プレゼント企画情報を受信したユーザのうち該プレゼント企画に参加するユーザの端末が、参加者情報を送信するステップと、
サーバが、前記参加者情報を受信し記録するステップと、
前記参加者情報のフィードを企画者のユーザＩＤに配信するステップと、
前記参加者情報を受信した企画者の端末が、サーバに複数の贈答品候補情報を送信するステップと、
サーバが、前記贈答品候補情報のフィードを参加者のユーザＩＤに配信するステップと、
前記贈答品候補情報フィードを受信した参加者の端末が前記複数の贈答品候補のうちから一の贈答品候補を選択した贈答品選択情報をサーバに送信するステップと、
サーバが、前記複数の参加者の端末から受信した贈答品選択情報を企画者の端末に送信するステップと、
前記参加者情報を受信した企画者の端末が贈答品を特定するステップと、
サーバが、前記記録したプレゼント企画情報及び参加者情報に基づき決済処理を行うステップと、
を有することを特徴とするプレゼント贈答方法。
【請求項１８】
サーバが参加者情報を取得した際、参加者と受取人との双方と所定の関係性を有する会員に対し更に前記プレゼント企画情報をフィード配信するステップを更に有することを特徴とする、請求項１６又は請求項１７のいずれかに記載のプレゼント贈答方法。
【請求項１９】
前記参加者情報に支払いを許容する金額上限を特定する支払金額特定情報が含まれ、
前記決済情報に規定される決済の方式が、前記複数の参加者の前記支払金額特定情報の合計額に応じた按分であることを特徴とする、請求項１０から請求項１８のいずれかに記載のプレゼント贈答方法。